(57)【特許請求の範囲】
【請求項１】
相手側コネクタの端子に接続される端子と、該端子を収容すると共に該端子を相手側コネクタの端子に接続するための操作用の開口部が設けられた絶縁材料製のコネクタハウジングと、前記端子の接続操作後に前記開口部を塞ぐように前記コネクタハウジングに装着されている絶縁材料製のサービスカバーとからそれぞれ構成された第１及び第２の２つのコネクタと、
これら第１及び第２のコネクタの前記端子に導体の両端がそれぞれ接続された可撓性を有する電線と、
前記第１及び第２のコネクタと前記電線とをシールドする金属板製のシールドシェルと、を具備し、
前記シールドシェルが、前記第１のコネクタに固定されている１つの第１のシールドシェルと、前記第２のコネクタに固定されている２つの第２のシールドシェルとに３分割されており、分割線に沿った前記第１及び第２のシールドシェルの周縁同士が、前記第１のシールドシェルと前記第２のシールドシェルの相対移動を可能にした状態で互いにラップしており、
更に、前記第１のコネクタの前記サービスカバーに、前記第１のコネクタの前記端子を相手側コネクタの前記端子に接続した後に前記サービスカバーを前記コネクタハウジングに装着した際に該第１のコネクタの前記端子への通電を許可し、前記サービスカバーを前記コネクタハウジングから外した際に該第１のコネクタの前記端子への通電を遮断するインターロック部が設けられ、
前記第１のシールドシェルの少なくとも一部が、前記第１のコネクタの前記サービスカバーに結合されていることで、前記第１のコネクタの前記コネクタハウジングに対する前記第１のコネクタの前記サービスカバー及び前記第１のシールドシェルの同時脱着が可能に構成されており、前記第２のシールドシェルの少なくとも一部が、前記第２のコネクタの前記サービスカバーに結合されていることで、前記第２のコネクタの前記コネクタハウジングに対する前記第２のコネクタの前記サービスカバー及び前記第２のシールドシェルの同時脱着が可能に構成されており、前記第１のコネクタの前記サービスカバーに結合されている前記第１のシールドシェルの少なくとも一部の周縁が、前記第２のコネクタの前記サービスカバーに結合されている前記第２のシールドシェルの少なくとも一部の周縁の外側にラップしていることを特徴とするシールドコネクタ装置。
【請求項２】
相手側コネクタの端子に接続される端子と、該端子を収容すると共に該端子を相手側コネクタの端子に接続するための操作用の開口部が設けられた絶縁材料製のコネクタハウジングと、前記端子の接続操作後に前記開口部を塞ぐように前記コネクタハウジングに装着されている絶縁材料製のサービスカバーとからそれぞれ構成された第１及び第２の２つのコネクタと、
これら第１及び第２のコネクタの前記端子に導体の両端がそれぞれ接続された可撓性を有する電線と、
前記第１及び第２のコネクタと前記電線とをシールドする金属板製のシールドシェルと、を具備し、
前記シールドシェルが、前記第１のコネクタに固定されている２つの第１のシールドシェルと、前記第２のコネクタに固定されている１つの第２のシールドシェルとに３分割されており、分割線に沿った前記第１及び第２のシールドシェルの周縁同士が、前記第１のシールドシェルと前記第２のシールドシェルの相対移動を可能にした状態で互いにラップしており、
更に、前記第１のコネクタの前記サービスカバーに、前記第１のコネクタの前記端子を相手側コネクタの前記端子に接続した後に前記サービスカバーを前記コネクタハウジングに装着した際に該第１のコネクタの前記端子への通電を許可し、前記サービスカバーを前記コネクタハウジングから外した際に該第１のコネクタの前記端子への通電を遮断するインターロック部が設けられ、
前記第１のシールドシェルの少なくとも一部が、前記第１のコネクタの前記サービスカバーに結合されていることで、前記第１のコネクタの前記コネクタハウジングに対する前記第１のコネクタの前記サービスカバー及び前記第１のシールドシェルの同時脱着が可能に構成されており、
前記第１のシールドシェルは、前記第１のコネクタハウジングに装着されている状態で前記第２のコネクタの前記サービスカバーを覆う大きさに形成されていることを特徴とするシールドコネクタ装置。
【発明の詳細な説明】
【技術分野】
【０００１】
本発明は、例えば、２つの機器間を繋ぐために電線の両端にコネクタが取り付けられた上でシールドされたシールドコネクタ装置に関するものである。
【背景技術】
【０００２】
図７及び図８に示す従来のシールドコネクタ装置１０１においては、可撓性を有する電線１３０の両端に、電線１３０の導体に接続された端子１１６、１２６と、端子１１６、１２６を収容する絶縁材料製のコネクタハウジング１１１、１２１と、コネクタハウジング１１１、１２１の外側を覆うシールドシェル１１２、１２２とからなるシールドコネクタ１１０、１２０が取り付けられている。また、両端のシールドコネクタ１１０、１２０間に露出した電線１３０の外側を覆うように、シールドカバーとして編組１４０が設けられており、編組１４０の両端が、各シールドコネクタ１１０、１２０のシールドシェル１１２、１２２の筒状部に、シールドリング１５０を加締めることで固定されている。編組１４０を用いるのは、両端のシールドコネクタ１１０、１２０間に若干の可動性を確保するためである。
【０００３】
この種のシールドコネクタ装置の例は、例えば、特許文献１、２に開示されている。
また、２つのシールドコネクタ間の電線を編組で覆う代わりに、電線をシールドパイプで覆う構成が例えば特許文献３に開示されている。
【先行技術文献】
【特許文献】
【０００４】
【特許文献１】特開２０１０−２８２９２４号公報
【特許文献２】特開２００３−１９７０３７号公報
【特許文献３】特開２００４−１７１９５２号公報
【特許文献４】特開２０１１−１２４０６２号公報
【発明の概要】
【発明が解決しようとする課題】
【０００５】
上述の従来のシールドコネクタ装置１０１では、機器や車両の振動等により編組１４０が他の部品に衝突した場合、強度的に金属板製のシールドシェル１１２、１２２などより弱い編組１４０が損傷するおそれがあった。
【０００６】
一方、特許文献４には、シールドコネクタにインターロック部を備えた構成が開示されている。特許文献４に記載のシールドコネクタは、不測にカバーが外れた場合においてもインターロック部により電流が遮断されるようになっている。ところが、図７、図８の構成において２つのシールドコネクタのそれぞれのカバーを安全に外すために、特許文献４のインターロック部の構成を適用した場合、２つのシールドコネクタのそれぞれにインターロック部を備える必要がある。
【０００７】
本発明は、上述した事情に鑑みてなされたものであり、その目的は、両端のコネクタ間のシールド性と可動性を確保しながら、振動等により電線の外側を覆うシールド部材が他の部品と衝突した場合にも損傷のおそれがなく、更に一対のシールドコネクタのそれぞれにインターロック部を必要としないシールドコネクタ装置を提供することにある。
【課題を解決するための手段】
【０００８】
本発明の上記目的は、下記の構成により達成される。
（１）  相手側コネクタの端子に接続される端子と、該端子を収容すると共に該端子を相手側コネクタの端子に接続するための操作用の開口部が設けられた絶縁材料製のコネクタハウジングと、前記端子の接続操作後に前記開口部を塞ぐように前記コネクタハウジングに装着されている絶縁材料製のサービスカバーとからそれぞれ構成された第１及び第２の２つのコネクタと、
これら第１及び第２のコネクタの前記端子に導体の両端がそれぞれ接続された可撓性を有する電線と、
前記第１及び第２のコネクタと前記電線とをシールドする金属板製のシールドシェルと、を具備し、
前記シールドシェルが、前記第１のコネクタに固定されている１つの第１のシールドシェルと、前記第２のコネクタに固定されている２つの第２のシールドシェルとに３分割されており、分割線に沿った前記第１及び第２のシールドシェルの周縁同士が、前記第１のシールドシェルと前記第２のシールドシェルの相対移動を可能にした状態で互いにラップしており、
更に、前記第１のコネクタの前記サービスカバーに、前記第１のコネクタの前記端子を相手側コネクタの前記端子に接続した後に前記サービスカバーを前記コネクタハウジングに装着した際に該第１のコネクタの前記端子への通電を許可し、前記サービスカバーを前記コネクタハウジングから外した際に該第１のコネクタの前記端子への通電を遮断するインターロック部が設けられ、
前記第１のシールドシェルの少なくとも一部が、前記第１のコネクタの前記サービスカバーに結合されていることで、前記第１のコネクタの前記コネクタハウジングに対する前記第１のコネクタの前記サービスカバー及び前記第１のシールドシェルの同時脱着が可能に構成されており、前記第２のシールドシェルの少なくとも一部が、前記第２のコネクタの前記サービスカバーに結合されていることで、前記第２のコネクタの前記コネクタハウジングに対する前記第２のコネクタの前記サービスカバー及び前記第２のシールドシェルの同時脱着が可能に構成されており、前記第１のコネクタの前記サービスカバーに結合されている前記第１のシールドシェルの少なくとも一部の周縁が、前記第２のコネクタの前記サービスカバーに結合されている前記第２のシールドシェルの少なくとも一部の周縁の外側にラップしていることを特徴とするシールドコネクタ装置。
【０００９】
（２）  相手側コネクタの端子に接続される端子と、該端子を収容すると共に該端子を相手側コネクタの端子に接続するための操作用の開口部が設けられた絶縁材料製のコネクタハウジングと、前記端子の接続操作後に前記開口部を塞ぐように前記コネクタハウジングに装着されている絶縁材料製のサービスカバーとからそれぞれ構成された第１及び第２の２つのコネクタと、
これら第１及び第２のコネクタの前記端子に導体の両端がそれぞれ接続された可撓性を有する電線と、
前記第１及び第２のコネクタと前記電線とをシールドする金属板製のシールドシェルと、を具備し、
前記シールドシェルが、前記第１のコネクタに固定されている２つの第１のシールドシェルと、前記第２のコネクタに固定されている１つの第２のシールドシェルとに３分割されており、分割線に沿った前記第１及び第２のシールドシェルの周縁同士が、前記第１のシールドシェルと前記第２のシールドシェルの相対移動を可能にした状態で互いにラップしており、
更に、前記第１のコネクタの前記サービスカバーに、前記第１のコネクタの前記端子を相手側コネクタの前記端子に接続した後に前記サービスカバーを前記コネクタハウジングに装着した際に該第１のコネクタの前記端子への通電を許可し、前記サービスカバーを前記コネクタハウジングから外した際に該第１のコネクタの前記端子への通電を遮断するインターロック部が設けられ、
前記第１のシールドシェルの少なくとも一部が、前記第１のコネクタの前記サービスカバーに結合されていることで、前記第１のコネクタの前記コネクタハウジングに対する前記第１のコネクタの前記サービスカバー及び前記第１のシールドシェルの同時脱着が可能に構成されており、
前記第１のシールドシェルは、前記第１のコネクタハウジングに装着されている状態で前記第２のコネクタの前記サービスカバーを覆う大きさに形成されていることを特徴とするシールドコネクタ装置。
【００１０】
上記（１）の構成のシールドコネクタ装置によれば、両端のコネクタ及び両端のコネクタ間を繋ぐ電線を、シールドシェルによって確実にシールドすることができる。
【００１１】
また、第１のコネクタに固定される第１のシールドシェルと第２のコネクタに固定される第２のシールドシェルは互いに分割されているものの、分割線に沿った周縁同士が互いにラップしているので、隙間無くシールド性を確保することができ、シールド漏れ箇所を無くすことができる。
【００１２】
また、第１のシールドシェルと第２のシールドシェルは、互いに結合されているわけでなく、相対的にある程度はそれぞれ自由に動くことができるものであるから、両端のコネクタ間の可動性を必要程度に確保することができ、コネクタを相手側コネクタに接続する際に必要な若干の移動に支障を来すことがない。
【００１３】
また、シールドシェルは金属板でできているから、機器や車両の振動等により他の部品に衝突しても損傷するおそれがない。
【００１４】
また、各コネクタのコネクタハウジングには、端子を相手側コネクタの端子に接続するための操作用の開口部が設けられているので、その開口部を通して端子を相手側コネクタの端子に強固に接続することができ、高電圧回路の接続のために使用しても充分な電気接続性能を発揮することができる。また、コネクタハウジングに形成した操作用の開口部は、後からサービスカバーで塞ぐことができ、その上でシールドシェルで覆うことができるので、コネクタハウジングに開口部が設けられているものの、確実な密閉性とシールド性を保つことができる。
【００１５】
また、第１のコネクタのサービスカバーにインターロック部を設けているので、第１のコネクタのサービスカバーを外した状態にすることで、端子への通電を遮断することができる。従って、高電圧回路を繋ぐ場合でも、端子の接続作業を安全に行うことができる。
【００１６】
また、第１のコネクタのサービスカバー及び第２のコネクタのサービスカバーにそれぞれ、第１のシールドシェルの少なくとも一部と第２のシールドシェルの少なくとも一部が結合されているので、サービスカバーをコネクタハウジングに装着することによって、サービスカバーを含めた部分をシールドシェルで覆うことができる。
【００１７】
その際、インターロック部を有する第１のコネクタのサービスカバーに結合された第１のシールドシェルの方が、第２のコネクタのサービスカバーに結合された第２のシールドシェルよりも外側になるように両シールドシェルの周縁同士をラップさせているので、インターロック部を設けた第１のコネクタ側のサービスカバーを外さない限り、第１のシールドシェルが邪魔することによって、第２のコネクタのサービスカバーが外せなくなる。すなわち、第１のコネクタのサービスカバーを外したときだけ第２のコネクタのサービスカバーを外すことができ、第１のコネクタにインターロック部を設けただけでも、第２のコネクタのサービスカバーを安全に外すことができる。
【００１８】
上記（２）の構成のシールドコネクタ装置によれば、第１のコネクタのサービスカバーに第１のシールドシェルの少なくとも一部が結合されていると共に、そのサービスカバーに結合されている第１のシールドシェルが、該サービスカバーのコネクタハウジングへの装着時に第２のコネクタのサービスカバーを覆う大きさに形成されているので、第１のコネクタのサービスカバーをコネクタハウジングに装着することによって、当該サービスカバーを含めた部分はもちろん、第２のコネクタのサービスカバーをも同時にシールドシェルで覆うことができる。
【００１９】
その際、インターロック部を有する第１のコネクタのサービスカバーに結合された第１のシールドシェルによって、第２のコネクタのサービスカバーを覆うようにしているので、インターロック部を設けた第１のコネクタ側のサービスカバーを外さない限り、第１のシールドシェルが邪魔することによって、第２のコネクタのサービスカバーが外せなくなる。
【００２０】
この場合、上記（１）の構成のシールドコネクタ装置においては、第２のコネクタのサービスカバーに結合された第２のシールドシェルが第１のシールドシェルに対して可動であることによって、無理な動きが加えられることによりシールドシェル同士のラップが外れてしまい、第１のコネクタのサービスカバーが外れていないにも拘わらず、第２のコネクタのサービスカバーが外せてしまう可能性が残るが、上記（２）の構成のシールドコネクタ装置の場合は、第２のコネクタのサービスカバーを、第１のコネクタのサービスカバーに結合された第１のシールドシェルで覆っているので、より確実に、第１のコネクタのサービスカバーを外さない限り、第２のコネクタのサービスカバーを外せなくすることができる。従って、第２のコネクタのサービスカバーが何らかの原因で外れてしまい端子が露出するのを、より確実に防ぐことができ、安全性を高めることができる。
【発明の効果】
【００２１】
本発明によれば、編組の代わりに用いた第１及び第２のシールドシェルにより、両端のコネクタ及びそれらを繋ぐ電線を確実にシールドすることができる。
【００２２】
また、第１のシールドシェルと第２のシールドシェルは、相対的にある程度はそれぞれ自由に動くことができるので、両端のコネクタ間の可動性を必要程度に確保することができる。
【００２３】
また、シールドシェルは金属板でできているから、機器や車両の振動等により他の部品に衝突しても損傷するおそれがない。
【００２４】
また、各コネクタのコネクタハウジングには、端子を相手側コネクタの端子に接続するための操作用の開口部が設けられているので、その開口部を通して端子を相手側コネクタの端子に強固に接続することができ、高電圧回路の接続のために使用しても充分な電気接続性能を発揮することができる。また、コネクタハウジングに形成した操作用の開口部は、後からサービスカバーで塞ぐことができ、その上でシールドシェルで覆うことができるので、コネクタハウジングに開口部が設けられているものの、確実な密閉性とシールド性を保つことができる。
【００２５】
また、第１のコネクタのサービスカバーにインターロック部を設けているので、第１のコネクタのサービスカバーを外した状態にすることで、端子への通電を遮断することができる。従って、高電圧回路を繋ぐ場合でも、端子の接続作業を安全に行うことができる。また、第１のコネクタのサービスカバーにインターロック部を設けているので、インターロック部を設けた第１のコネクタ側のサービスカバーを外さない限り、第１のシールドシェルが邪魔することによって、第２のコネクタのサービスカバーが外せなくなる。すなわち、第１のコネクタのサービスカバーを外したときだけ第２のコネクタのサービスカバーを外すことができ、第１のコネクタにインターロック部を設けただけでも、第２のコネクタのサービスカバーを安全に外すことができる。
【図面の簡単な説明】
【００２６】
【図１】本発明の第１実施形態のシールドコネクタ装置の外観斜視図である。
【図２】同シールドコネクタ装置の側面図である。
【図３】図３（ａ）は図２のＡ部分である上側のコネクタ周辺の断面図、図３（ｂ）は図２のＢ部分である下側コネクタ周辺の断面図である。
【図４】本発明の第２実施形態のシールドコネクタ装置の外観斜視図である。
【図５】同シールドコネクタ装置の側面図である。
【図６】図６（ａ）は図５のＤ部分である上側のコネクタ周辺の断面図、図６（ｂ）は図５のＥ部分である下側コネクタ周辺の断面図である。
【図７】従来のシールドコネクタ付き電線の外観斜視図である。
【図８】同シールドコネクタ付き電線の断面図である。
【発明を実施するための形態】
【００２７】
以下、本発明の実施形態を図面を参照して説明する。
図１は第１実施形態のシールドコネクタ装置の外観斜視図、図２は同シールドコネクタ装置の側面図、図３（ａ）は図２のＡ部分である上側のコネクタ周辺の断面図、図３（ｂ）は図２のＢ部分である下側コネクタ周辺の断面図である。
【００２８】
第１実施形態のシールドコネクタ装置１は、図中上側の第１のコネクタ１０と、図中下側の第２のコネクタ２０と、第１のコネクタ１０と第２のコネクタ２０を繋ぐ可撓性を備えた電線４０（図３参照）と、第１及び第２のコネクタ１０、２０と電線４０とをシールドする金属板製のシールドシェル５０と、から構成されている。図では、下側の第２のコネクタ２０に機器側のコネクタ（待ち受けコネクタ）３０が接続されている状態を示している。
【００２９】
上側の第１のコネクタ１０は、図１及び図３（ａ）に示すように、相手側コネクタの端子に接続される複数の端子（ここでは、バスバーで構成されている）１６と、端子１６を収容すると共に端子１６を相手側コネクタの端子に接続するための操作用の開口部１２が設けられた絶縁材料製のコネクタハウジング１１と、端子１６の接続操作後に開口部１２を塞ぐようにコネクタハウジング１１に装着される絶縁材料製のサービスカバー１３と、から構成されている。
【００３０】
コネクタハウジング１１の前面（相手側コネクタのコネクタハウジングと接触する面）には、相手側コネクタに接続したときに、相手側コネクタに密着することで電気接続部分を包囲するようにシールするシール部材１７が設けられている。また、サービスカバー１３の外周にも、サービスカバー１３を開口部１２に嵌合したとき、コネクタハウジング１１との隙間をシールするシール部材１８が設けられている。
【００３１】
また、この第１のコネクタ１０のサービスカバー１３には、インターロック部１５が設けられている。インターロック部１５は、第１のコネクタ１０の端子１６を開口部１２を用いて相手側コネクタの端子に接続した後にサービスカバー１３を開口部１２を塞ぐようにコネクタハウジング１１に装着した際に相手側コネクタから第１のコネクタ１０の端子１６への通電を許可し、サービスカバー１３をコネクタハウジング１１から外した際に相手側コネクタから第１のコネクタ１０の端子１６への通電を遮断する機能を果たす部分である。
【００３２】
また、下側の第２のコネクタ２０は、図３（ｂ）に示すように、相手側コネクタ３０の端子（ここでは、バスバーで構成されている）３６に接続される複数の端子（ここでは、バスバーで構成されている）２６と、端子２６を収容すると共に端子２６を相手側コネクタ３０の端子３６に接続するための操作用の開口部２２が設けられた絶縁材料製のコネクタハウジング２１と、端子２６の接続操作後に開口部２２を塞ぐようにコネクタハウジング２１に装着される絶縁材料製のサービスカバー２３と、から構成されている。
【００３３】
コネクタハウジング２１の前面（相手側コネクタ３０のコネクタハウジング３１と接触する面）には、相手側コネクタ３０に接続したときに、相手側コネクタ３０に密着することで電気接続部分を包囲するようにシールするシール部材２７が設けられている。また、サービスカバー２３の外周にも、サービスカバー２３を開口部２２に嵌合したとき、コネクタハウジング２１との隙間をシールするシール部材２８が設けられている。
【００３４】
なお、この第２のコネクタ２０のサービスカバー２３には、インターロック部は設けられていない。
【００３５】
第１のコネクタ１０と第２のコネクタ２０とを繋ぐ電線４０は、第１のコネクタ１０及び第２のコネクタ２０の端子１６、２６に自身の導体の両端がそれぞれ接続されている。
【００３６】
第１のコネクタ１０と第２のコネクタ２０と電線４０とをシールドするシールドシェル５０は、第１のコネクタ１０に固定された１つの第１のシールドシェル５１と、第２のコネクタ２０に固定された２つの第２のシールドシェル５２、５３とに３分割されている。そして、分割線に沿ったシールドシェル５１、５２、５３の周縁５１ａ、５２ａ、５３ａ同士が、第１のシールドシェル５１と第２のシールドシェル５２、５３の相対移動を可能にする隙間Ｓ〔図３（ｂ）のＣ部を参照〕を持った状態で互いにラップしている。
【００３７】
第１のシールドシェル５１は、第１のコネクタ１０のサービスカバー１３にネジ６１によって結合されることで、コネクタハウジング１１に対するサービスカバー１３の脱着と同時に第１のコネクタ１０のコネクタハウジング１１に対して脱着されるように構成されている。コネクタハウジング１１を覆う部分の外周部にはアース端子５４が設けられ、電線４０を覆う部分は、深さの浅い半角筒状に形成されている。
【００３８】
また、２つの第２のシールドシェル５２、５３のうちの下側の小さい方のシールドシェル５３は、第２のコネクタ２０のサービスカバー２３にネジ６２によって結合されることで、コネクタハウジング２１に対するサービスカバー２３の脱着と同時に第２のコネクタ２０のコネクタハウジング２１に対して脱着されるように構成されている。
【００３９】
２つの第２のシールドシェル５２、５３は共に、コネクタハウジング２１を覆う部分と電線４０を覆う部分とを有しており、電線４０を覆う部分は、深さの浅い半角筒状に形成されている。ここでは、一方の第２のシールドシェル５２が、第１のシールドシェル５１と反対側から電線４０を覆うように配置され、他方の小さい方の第２のシールドシェル５３が、第１のシールドシェル５１と同じ側から、第１のシールドシェル５１で覆えない部分の電線４０を覆うように配置されている。なお、一方の第２のシールドシェル５２の端部の周縁５２ｂは、相手側コネクタ３０のシールドシェル３５の周縁にラップするように構成されている。
【００４０】
ここで重要なことは、図３（ｂ）のＣ部に示すように、第１のコネクタ１０のサービスカバー１３に結合された第１のシールドシェル５１の周縁５１ａが、第２のコネクタ２０のサービスカバー２３に結合された第２のシールドシェル５３の周縁５３ａの外側にラップしていることである。
【００４１】
このように構成されたシールドコネクタ装置１によれば、両端の第１及び第２のコネクタ１０、２０とそれら両端のコネクタ１０、２０間を繋ぐ電線４０を、シールドシェル５０によって確実にシールドすることができる。
【００４２】
また、第１のコネクタ１０に固定された第１のシールドシェル５１と第２のコネクタ２０に固定された第２のシールドシェル５２、５３は互いに分割されているものの、分割線に沿った周縁５１ａ、５２ａ、５３ａ同士が互いにラップしているので、隙間無くシールド性を確保することができ、シールド漏れ箇所を無くすことができる。
【００４３】
また、第１のシールドシェル５１と第２のシールドシェル５２、５３は、互いに結合されているわけでなく、相対的にある程度はそれぞれ自由に動くことができるものであるから、両端のコネクタ１０、２０間の可動性を必要程度に確保することができ、コネクタ１０、２０を相手側コネクタに接続する際に必要な若干の移動に支障を来すことがない。
【００４４】
また、シールドシェル５０は金属板でできているから、機器や車両の振動等により他の部品に衝突しても損傷するおそれがない。
【００４５】
また、各コネクタ１０、２０のコネクタハウジング１１、２１には、端子１６、２６を相手側コネクタの端子に接続するための操作用の開口部１２、２２が設けられているので、その開口部１２、２２を通して端子１６、２６を相手側コネクタの端子に強固に接続することができ、高電圧回路の接続のために使用しても充分な電気接続性能を発揮することができる。また、コネクタハウジング１１、２１に形成した操作用の開口部１２、２２は、後からサービスカバー１３、２３で塞ぐことができ、その上で第１のシールドシェル５１で覆うことができるので、コネクタハウジング１１、２１に開口部１２、２２が設けられているものの、確実な密閉性とシールド性を保つことができる。
【００４６】
また、本実施形態のシールドコネクタ装置１によれば、第１のコネクタ１０のサービスカバー１３にインターロック部１５を設けているので、第１のコネクタ１０のサービスカバー１３を外した状態にすることで、端子１６への通電を遮断することができる。従って、高電圧回路を繋ぐ場合でも、端子１６の接続作業を安全に行うことができる。
【００４７】
また、第１のコネクタ１０のサービスカバー１３及び第２のコネクタ２０のサービスカバー２３にそれぞれ、第１のシールドシェル５１と第２のシールドシェル５２が結合されているので、サービスカバー１３、２３をコネクタハウジング１１、２１に装着することによって、サービスカバー１３、２３を含めた部分をシールドシェル５１、５３で覆うことができる。
【００４８】
その際、図３（ｂ）のＣ部に示すように、インターロック部１５を有する第１のコネクタ１０のサービスカバー１３に結合された第１のシールドシェル５１の方が、第２のコネクタ２０のサービスカバー２３に結合された第２のシールドシェル５３よりも外側になるように、両シールドシェル５１、５３の周縁５１ａ、５３ａ同士をラップさせているので、インターロック部１５を設けた第１のコネクタ１０側の第１のシールドシェル５１を外さない限り、第１のシールドシェル５１が邪魔することによって、第２のコネクタ２０のサービスカバー２３が外せなくなる。すなわち、第１のコネクタ１０のサービスカバー１３を外したときだけ第２のコネクタ２０のサービスカバー２３を外すことができ、第１のコネクタ１０にインターロック部１５を設けただけでも、第２のコネクタ２０のサービスカバー２３を安全に外すことができる。
【００４９】
ところで、この第１実施形態のシールドコネクタ装置１の場合、第２のコネクタ２０のサービスカバー２３に結合された第２のシールドシェル５３が第１のシールドシェル５１に対して可動であることによって、無理な動きが加えられることにより両シールドシェル５１、５３同士のラップが外れてしまい、第１のコネクタ１０のサービスカバー１３が外れていないにも拘わらず、第２のコネクタ２０のサービスカバー２３が外せてしまう可能性があり得る。
【００５０】
そこで、次に述べる第２実施形態のシールドコネクタ装置は、そのような可能性をできるだけ排除できるようにしている。
【００５１】
図４は第２実施形態のシールドコネクタ装置の外観斜視図、図５は同シールドコネクタ装置の側面図、図６（ａ）は図５のＤ部分である上側のコネクタ周辺の断面図、図６（ｂ）は図５のＥ部分である下側コネクタ周辺の断面図である。
【００５２】
第２実施形態のシールドコネクタ装置１Ａは、上記第１実施形態の構成のうち、第２のシールドシェル５３を無くして、その代わりを第１のシールドシェル５６に一体に形成したサービスカバー覆い部５７によって補うようにしたものである。従って、第２実施形態において、第１実施形態と同じ要素については同符号を付すことで、その説明は省略又は簡略化する。
【００５３】
このシールドコネクタ装置１Ａでは、第１のコネクタ１０と第２のコネクタ２０と電線４０とをシールドするシールドシェル５０Ａは、第１のコネクタ１０に固定された２つの第１のシールドシェル５５、５６と、第２のコネクタ２０に固定された１つの第２のシールドシェル５２とに３分割されている。そして、分割線に沿ったシールドシェル５５、５６、５２の周縁５６ａ（図において隠れているところは符号を省略）同士が、第１のシールドシェル５５、５６と第２のシールドシェル５２の相対移動を可能にする状態で互いにラップしている。
【００５４】
第１のシールドシェル５５、５６のうち一方の第１のシールドシェル５５は、第１のコネクタ１０のコネクタハウジング１１の外周を覆うように構成されており、外周部のアース端子５４によって相手側機器に固定されるようになっている。また、他方の第１のシールドシェル５６は、サービスカバー１３にネジ６１によって結合されることで、コネクタハウジング１１に対するサービスカバー１３の脱着と同時に第１のコネクタ１０のコネクタハウジング１１に対して脱着されるように構成されている。この他方の第１のシールドシェル５６のコネクタハウジング１１を覆う部分は、一方の第１のシールドシェル５５の一部に密着してラップするように構成されており、外周部に形成されたアース端子５８によって相手側機器に固定されるようになっている。
【００５５】
また、この他方の第１のシールドシェル５６の電線４０を覆う部分は、深さの浅い半角筒状に形成されており、第２のコネクタ２０側に延びた先端側に、Ｌ字状に曲がったサービスカバー覆い部５７を一体に有している。このサービスカバー覆い部５７は、第２のコネクタ２０のサービスカバー２３を覆う大きさに形成されており、第２のコネクタ２０のサービスカバー２３に固定されているものではない。
【００５６】
このように構成されたシールドコネクタ装置１Ａによれば、両端の第１及び第２のコネクタ１０、２０とそれら両端のコネクタ１０、２０間を繋ぐ電線４０を、シールドシェル５０Ａによって確実にシールドすることができる。
【００５７】
また、第１のコネクタ１０に固定された第１のシールドシェル５５、５６と第２のコネクタ２０に固定された第２のシールドシェル５２は互いに分割されているものの、分割線に沿った周縁同士が互いにラップしているので、隙間無くシールド性を確保することができ、シールド漏れ箇所を無くすことができる。
【００５８】
また、第１のシールドシェル５５、５６と第２のシールドシェル５２は、互いに結合されているわけでなく、相対的にある程度はそれぞれ自由に動くことができるものであるから、両端のコネクタ１０、２０間の可動性を必要程度に確保することができ、コネクタ１０、２０を相手側コネクタに接続する際に必要な若干の移動に支障を来すことがない。
【００５９】
また、シールドシェル５０Ａは金属板でできているから、機器や車両の振動等により他の部品に衝突しても損傷するおそれがない。
【００６０】
また、各コネクタ１０、２０のコネクタハウジング１１、２１には、端子１６、２６を相手側コネクタの端子に接続するための操作用の開口部１２、２２が設けられているので、その開口部１２、２２を通して端子１６、２６を相手側コネクタの端子に強固に接続することができ、高電圧回路の接続のために使用しても充分な電気接続性能を発揮することができる。また、コネクタハウジング１１、２１に形成した操作用の開口部１２、２２は、後からサービスカバー１３、２３で塞ぐことができ、その上で第１のシールドシェル５１で覆うことができるので、コネクタハウジング１１、２１に開口部１２、２２が設けられているものの、確実な密閉性とシールド性を保つことができる。
【００６１】
また、本実施形態のシールドコネクタ装置１によれば、第１のコネクタ１０のサービスカバー１３にインターロック部１５を設けているので、第１のコネクタ１０のサービスカバー１３を外した状態にすることで、端子１６への通電を遮断することができる。従って、高電圧回路を繋ぐ場合でも、端子１６の接続作業を安全に行うことができる。すなわち、第１のコネクタ１０のサービスカバー１３を外したときだけ第２のコネクタ２０のサービスカバー２３を外すことができ、第１のコネクタ１０にインターロック部１５を設けただけでも、第２のコネクタ２０のサービスカバー２３を安全に外すことができる。
【００６２】
また、第１のコネクタ１０のサービスカバー１３に第１のシールドシェル５６が結合されていると共に、そのサービスカバー１３に結合されている第１のシールドシェル５６の先端に、サービスカバー１３のコネクタハウジング１１への装着時に第２のコネクタ２０のサービスカバー２３を覆う大きさのサービスカバー覆い部５７が一体に形成されているので、第１のコネクタ１０のサービスカバー１３をコネクタハウジング１１に装着することによって、当該サービスカバー１３を含めた部分はもちろん、第２のコネクタ２０のサービスカバー２３をも同時にシールドシェル５６で覆うことができる。
【００６３】
その際、インターロック部１５を有する第１のコネクタ１０のサービスカバー１３に結合された第１のシールドシェル５６によって、第２のコネクタ２０のサービスカバー２３を覆うようにしているので、インターロック部１５を設けた第１のコネクタ１０側のサービスカバー１３を外さない限り、第１のシールドシェル５６のサービスカバー覆い部５７が邪魔することによって、第２のコネクタ２０のサービスカバー２３が外せなくなる。特に、この第２実施形態においては、第２のコネクタ２０のサービスカバー２３を、第１のコネクタ１０のサービスカバー１３に結合された第１のシールドシェル５６のサービスカバー覆い部５７で覆っているので、より確実に、第１のコネクタ１０のサービスカバー１３を外さない限り、第２のコネクタ２０のサービスカバー２３を外せなくすることができる。従って、第２のコネクタ２０のサービスカバー２３が何らかの原因で外れてしまい端子２６が露出するのを、より確実に防ぐことができ、第１実施形態よりも安全性を高めることができる。
【００６４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００６５】
１  シールドコネクタ装置
１０  第１のコネクタ
１１  コネクタハウジング
１２  開口部
１３  サービスカバー
１５  インターロック部
１６  端子
２０  第２のコネクタ
２１  コネクタハウジング
２２  開口部
２３  サービスカバー
２６  端子
３０  相手側コネクタ
３６  端子
４０  電線
５０  シールドシェル
５１  第１のシールドシェル
５２，５３  第２のシールドシェル  
５１ａ，５２ａ，５３ａ  周縁
１Ａ  シールドコネクタ装置
５０Ａ  シールドシェル
５５，５６  第１のシールドシェル
５６ａ  周縁
【図１】
0005938212.tif 000002
【図２】
0005938212.tif 000003
【図３】
0005938212.tif 000004
【図４】
0005938212.tif 000005
【図５】
0005938212.tif 000006
【図６】
0005938212.tif 000007
【図７】
0005938212.tif 000008
【図８】
0005938212.tif 000009